(57)【特許請求の範囲】
【請求項１】
測定用デバイスを装着し、測定データを表示することができる表示窓を有する自己測定用小型血糖計であって、
前記装着された測定用デバイスの先端には血液が付着され、
使用者がどのような方向で自己測定用小型血糖計を把持しても、測定データの上下表示方向が使用者から見て常に正しい上下方向を向くことにより、右利きおよび左利き兼用であることを特徴とする自己測定用小型血糖計。
【請求項２】
重力センサを利用することで表示の上下方向を認識する、請求項１記載の自己測定用小型血糖計。
【請求項３】
赤外線センサを利用することで使用者の位置方向を確認し、表示の上下方向を認識する、請求項１記載の自己測定用小型血糖計。
【請求項４】
装置上の任意のボタンを押すことで各ボタンに関連づけられた方向で表示の上下方向を認識する、請求項１記載の自己測定用小型血糖計。
【発明の詳細な説明】
【０００１】
【発明が属する技術分野】
本発明は、患者個人にて簡易に測定が行える、自己測定用小型血糖計に関する。
【０００２】
【従来の技術】
例えば、糖尿病患者が患者自身にて血糖値測定を行い、その測定結果の数値データや文字データを表示窓で表示することができる、持ち運び可能な簡易血糖計がある。
【０００３】
このような従来の小型測定装置の外観形状を示す一例として、簡易血糖計の斜視図を図１に示す。測定装置本体１には、表示窓２と、専用の測定用デバイスＡ（使い捨てであることが多い）を装置本体１内にあるコネクタと接続させるための挿入孔３からなる。図１に示す測定装置は、操作ボタン類を必要としないタイプである。
【０００４】
この装置の使用方法は、概して次のようなものである。使用者はまず簡易血糖計１へ測定用デバイスＡを、挿入孔３へ差し込むことで装着する。そして使用者は自分の指先を穿刺道具を用いて穿刺することで微量の血液を採取し、測定用デバイスＡの先端へ血液を付着させる。すると、血液中のグルコースとデバイスＡ中の酵素類との一連の化学反応による電気的変化が生じ、その変化が測定装置１内で計算され、表示窓で測定結果が数値や文字で表示される。
【０００５】
このように、測定用デバイスを用いる従来の小型測定装置は、どうしても「デバイスを装着する」という作業が生じる。
【０００６】
一般的に、挿入孔の位置は、表示窓に表示される測定データの向きを図２のように見た場合、左右どちらかの横側（図２中、ｘまたはｙ）に存在することが多い。しかしこのとき、右利き・左利きの使用者により、血液の付着時に装置を手で持ち帰る必要が生じ、不便を感じることが多かった。
【０００７】
具体的には、右利きの使用者用に設計されている装置では、図２では向かって左側（ｘ側）に挿入孔がある。これは、
▲１▼習慣的に右手で穿刺道具を持つために、左手指先を傷つけることが必然的に多い。
▲２▼次に、その左手指先の血液を採取するためには、デバイスの装着された装置本体を右手で持つ必要がある。
▲３▼次に、デバイスの装着された装置本体を右手で持ちつつ、そのデバイスの先端を、左手指先の血液へ接触させる。
▲４▼この時点での表示窓での表示方向が、使用者から見て正しい上下方向を向く必要があること。
を考慮して設計されるためである。
【０００８】
故に、この右利き用に設計された装置を左利きの使用者が用いる際には、表示窓に表示されるデータが上下逆に表示される状態に把持したり、表示窓側が向こうになった裏面状態になるために手で持ち替えたり、一旦机の上に置き直す必要がある。
【０００９】
この問題点をクリアすべく、図２でのｚの位置に挿入孔を設けたタイプの測定装置も存在する。しかし、この挿入口を上方に設けた装置は、利き手の異なる使用者が差し込む際の手間は減じるが、デバイスを挿し終えて血液をデバイスへ適用した後にいざ数字を読み取る際には、結局は装置を見やすい方向へ転回する必要がある。
【００１０】
【発明が解決すべき課題】
そこで本発明の目的は、今までにない方法で、右利き・左利きの両方の使用者が煩わしさを感じることなく、容易に使用できる自己測定用小型血糖計を提供することにある。
【００１１】
【課題を解決するための手段】
目的を達成するために本発明は、測定用デバイスを装着し、測定データを表示することができる表示窓を有する自己測定用小型血糖計であって、前記装着された測定用デバイスの先端には血液が付着され、使用者がどのような方向で自己測定用小型血糖計を把持しても、測定データの上下表示方向が使用者から見て常に正しい上下方向を向くことにより、右利きおよび左利き兼用であることを特徴とする自己測定用小型血糖計である。
【００１２】
つまり本発明は、使用者の好みの方向で挿入孔が使用できるように自己測定用小型血糖計本体を構え、その状態で測定用デバイスを自己測定用小型血糖計本体へ装着すればよい。また、一旦机の上に置くことがあった場合、机上から持ち上げた際に当初の向きと変わってしまっても、表示方向が必ず使用者の方向を向くので、使用者が煩わしさを感じることなく、容易に使用できる。
【００１３】
【発明の実施の形態】
本発明の概念図を図３に示す。図３に示すように、測定用デバイスを装着した状態で自己測定用小型血糖計を３６０°回転させても、測定データの表示は常に一定方向を向くのである。
【００１４】
データの表示方向を一定に、しかも使用者から見て正しい方向に向かせる方法として、次のような機構が考えられる。
【００１５】
使用者は、観察時に自己測定用小型血糖計を把持する場合、（本を読むような角度で）若干斜めの角度に保持して測定データを読みとる場合が多いので、図４に概念図を示す重力センサを自己測定用小型血糖計内部に有することで、目的を達成することができる。つまり、重力が向く方向を、測定データ表示窓の底辺にすればよいのである。特に、表示窓での表示手段が液晶画面の場合、ちょうど上記角度のように斜めにすると読み取りやすくなり、自然と好ましい状態になる。もちろん、使用者が自己測定用小型血糖計を任意に傾けてもよい。
【００１６】
ごくまれに、使用者が水平な机上へ自己測定用小型血糖計を静置して測定データを読みとろうとする場合もあるが、その場合は、四角形状の自己測定用小型血糖計本体の四辺のそれぞれに熱源感知用のセンサを有することで、使用者の方向を認識させることができる。つまり、熱源がある方向が使用者のいる方向であり、その一辺側を測定データ表示窓の底辺にすればよい。
【００１７】
使用者が水平な机上へ自己測定用小型血糖計を静置して測定データを読みとろうとする場合でも、使用者が見たい状態へ自己測定用小型血糖計を軽く傾けて好みの方向へ表示を向け、なんらかの手段でその表示方向がロックされるようにし、再度机上へ静置すればよい。
【００１８】
また、自己測定用小型血糖計上の任意のボタンを押すことで各ボタンに関連づけられた方向で表示の上下方向を認識することもできる。例えば四角形状の自己測定用小型血糖計本体の四辺のそれぞれに一個ずつボタンを設けておき、血液を付着させて測定を開始しはじめたら、その瞬間に使用者が把持している方向で使用者に向かって測定データが表示されるように、使用者側からみて最も手前にあるボタンを押せば、そのボタンが設けられている一辺側を測定データ表示窓の底辺にするような構造を持たせてもよい（図示せず）。任意の方向に自己測定用小型血糖計本体を回転させるよりもボタンを押す方が容易である。
【００１９】
本発明では、使用者は糖尿病性神経症のために目の不自由なことが多いので、デバイス挿入孔を指で探りながらデバイスを装着した後は、自己測定用小型血糖計の方向は気にすることなしに、表示窓に表示される数値を読み取ることに集中できる。
【００２０】
四角形の自己測定用小型血糖計の場合、四辺全てにデバイス挿入孔を設けると、より使いやすくなる。コネクタは四個必要だが、演算ＣＰＵを共通にすればよい。
【００２１】
表示窓での数値表示手段は、四方向からの任意の向きに自在に表示するために、液晶７セグメント表示よりも液晶ドットマトリクス表示が好ましい。もちろん、一つの表示窓に４方向の７セグメント表示を設け、任意の方向の表示をさせることも可能である。セグメントを重ね合わせ、任意の方向の表示をさせることも可能である。本体上に表示窓そのものを四個設けても良い。その他、測定データの上下表示方向が使用者から見て自由に変化する表示方法ならば、如何なる表示方法でも採用できることは明らかである。
【００２２】
【発明の効果】
本発明の自己測定用小型血糖計を用いると、使用者がどのような方向で自己測定用小型血糖計を把持しても、測定データの上下表示方向が使用者から見て常に正しい上下方向を向くため、右利き・左利きの両方の使用者が煩わしさを感じることなく、容易に使用できる。
【図面の簡単な説明】
【図１】従来の一般的な自己測定用小型血糖計を示す概念図である。
【図２】従来の自己測定用小型血糖計へ測定デバイスを挿入する向きを示す図である。
【図３】本発明に関わる自己測定用小型血糖計を示す概念図である。
【図４】本発明で用いる重力センサを示す概念図である。
【符号の説明】
Ａ  専用の測定用デバイス
１  自己測定用小型血糖計本体
２  表示窓
３  挿入孔
【図１】
0004301648.tif 000002
【図２】
0004301648.tif 000003
【図３】
0004301648.tif 000004
【図４】
0004301648.tif 000005